(57)【要約】【課題】フィードロープの伸びが生じるたびにナットを締めなおす必要をなくし、左右のフィードロープを等しく緊張させた状態で保持する。【解決手段】さく孔機のフィードロープ３ｆの固定部９に半円形シーブ１２を設け、左右のフィードロープ３ｆを一本に連結して半円形シーブ１２に掛け回すと共に、固定部材１３と半円形シーブ１２との間に、半円形シーブ１２をフィードロープ３ｆの緊張側に付勢するばね１４を設ける。【選択図】　図１
2004116207.tif 000002
【特許請求の範囲】
【請求項１】
さく孔機のフィードロープの固定部に半円形シーブを設け、左右のフィードロープを一本に連結して半円形シーブに掛け回すと共に、固定部材と半円形シーブとの間に、半円形シーブをフィードロープの緊張側に付勢する緊張付与手段を設けたフィードロープの保持装置。
【発明の詳細な説明】
【０００１】
【発明の属する技術分野】
本発明は、採石、鉱山、土木等の作業現場で使用される、油圧式あるいは空圧式のクローラドリル、ダウンザホールドリル等のさく孔機のフィードロープを固定し緊張した状態で保持するためのフィードロープの保持装置に関するものである。
【０００２】
【従来の技術】
クローラドリルやダウンザホールドリル等のさく孔機では、マストに搭載したさく岩機やロータリーヘッドを前後進させるためのフィードロープが張設されている。
例えば、図２、図３に示すように、ダウンザホールドリルでは、ロータリーヘッド２の左右両側にフィードロープ３ｂ、３ｆが設けられている。ロータリーヘッド２の後部に一端が連結されたフィードロープ３ｂは、マスト４の後端部に軸支された滑車５、マスト４の中間部の滑車支持枠１０に軸支された滑車６に掛け回され、他端がマスト４の後端に固定される。
【０００３】
また、ロータリーヘッド２の前部に一端が連結されたフィードロープ３ｆは、マスト４の前端部に軸支された滑車７、マスト４の中間部の滑車支持枠１０に軸支された滑車８に掛け回され、他端がマスト４の中間部の前方に設けられた固定部９に固定される。
滑車支持枠１０とマスト４の前端部との間にはフィードシリンダ１１が設けられており、このフィードシリンダ１１の伸縮により、ロータリーヘッド２が前後進する。
【０００４】
従来、このフィードロープ３ｆを固定部９に固定する場合には、図４に示すように、フィードロープ３ｆの端末にねじエンド４１を設け、このねじエンド４１をマスト４の固定部９に設けられた固定ブラケット４２にナット４３で固定している（例えば、特許文献１参照）。
【０００５】
【特許文献１】
実公昭５６−１５２７２号公報（第３頁、第５図）
【０００６】
【発明が解決しようとする課題】
さく孔機のフィードロープは、ロータリーヘッド等を円滑に前後進させるため、適切な緊張状態に保持しておく必要がある。
しかしながら、フィードロープ３ｆは、ねじエンド４１をマスト４の固定部９の固定ブラケット４２にナット４３で固定しているため、フィードロープ３ｆに伸びが生じるたびにナット４３を締めなおす必要があり、また、左右のフィードロープ３ｆの張りが等しくなるように調整するのが困難である。
【０００７】
本発明は、さく孔機のフィードロープの固定における上記問題を解決するものであって、フィードロープの伸びが生じるたびにナットを締めなおす必要がなく、また、左右のフィードロープを等しく緊張させた状態で保持することのできるフィードロープの保持装置を提供することを目的とする。
【０００８】
【課題を解決するための手段】
本発明のフィードロープの保持装置は、上記課題を解決するため、さく孔機のフィードロープの固定部に半円形シーブを設け、左右のフィードロープを一本に連結して半円形シーブに掛け回すと共に、固定部材と半円形シーブとの間に、半円形シーブをフィードロープの緊張側に付勢する緊張付与手段を設けている。
【０００９】
このフィードロープの保持装置では、左右のフィードロープが一本に連結され半円形シーブに掛け回されており、マストと半円形シーブとの間に、円形シーブをフィードロープの緊張側に付勢する緊張付与手段が設けられているので、フィードロープには常に所要の緊張が与えられる。従って、フィードロープの伸びが生じるたびにナットを締めなおす必要はない。また、左右のフィードロープは等しく緊張した状態で保持される。
【００１０】
【発明の実施の形態】
図１は本発明の実施の一形態を示すフィードロープの保持装置の平面図である。
このフィードロープの保持装置１は、ダウンザホールドリルのマスト４の固定部９にフィードロープ３ｆを固定するために用いられている。
【００１１】
ダウンザホールドリルの基本的な構成は図２、図３に示すもの同様であり、ロータリーヘッド２の左右両側にフィードロープ３ｂ、３ｆが設けられている。ロータリーヘッド２の後部に一端が連結されたフィードロープ３ｂは、マスト４の後端部に軸支された滑車５、マスト４の中間部の滑車支持枠１０に軸支された滑車６に掛け回され、他端がマスト４の後端に固定される。
【００１２】
また、ロータリーヘッド２の前部に一端が連結されたフィードロープ３ｆは、マスト４の前端部に軸支された滑車７、マスト４の中間部の滑車支持枠１０に軸支された滑車８に掛け回され、他端がマスト４の中間部の前方に設けられた固定部９に固定される。
滑車支持枠１０とマスト４の前端部との間にはフィードシリンダ１１が設けられており、このフィードシリンダ１１の伸縮により、ロータリーヘッド２が前後進する。
【００１３】
ここで、フィードロープの保持装置１は、固定部９に半円形シーブ１２を配置し、左右のフィードロープ３ｆを一本に連結して半円形シーブ１２に掛け回すと共に、固定部９に固設された固定部材１３と半円形シーブ１２との間に、緊張付与手段として、半円形シーブ１２をフィードロープ３ｆの緊張側、即ち前方に付勢するばね１４を設けている。
【００１４】
このフィードロープの保持装置１では、左右のフィードロープ３ｆが一本に連結され半円形シーブ１２に掛け回されており、固定部材１３と半円形シーブ１２との間に、円形シーブ１２をフィードロープ３ｆの緊張側に付勢するばね１４が設けられているので、フィードロープ３ｆには常に所要の緊張が与えられる。
従って、フィードロープ３ｆの伸びが生じるたびにナットを締めなおす必要はない。また、左右のフィードロープ３ｆは等しく緊張した状態で保持されるので、左右のフィードロープ３ｆの張りが等しくなるように調整を行う必要もない。左右のフィードロープ３ｆにそれぞれねじエンドを設ける必要もないので、コストも低減される。
【００１５】
なお、緊張付与手段としては、所要の緊張を与えることができるものであれば、油圧ダンパ等、ばね１４以外のものを使用することができる。
さらに、本実施の形態ではさく孔作業時の直進性に比較的に影響のあるフィードロープ３ｆ側のみにフィードロープの保持装置１を設けているが、フィードロープ３ｂ側にも同様にフィードロープの保持装置１を設けてもよいし、レイアウト上の制約がある場合はフィードロープ３ｂ側のみにフィードロープの保持装置１を設けても構わない。
【００１６】
【発明の効果】
以上説明したように、本発明のフィードロープの保持装置によれば、フィードロープの伸びが生じるたびにナットを締めなおす必要がなく、また、左右のフィードロープを等しく緊張させた状態で保持することができる。
【図面の簡単な説明】
【図１】本発明の実施の一形態を示すフィードロープの保持装置の平面図である。
【図２】ダウンザホールドリルにおけるフィードロープの張設の状態を示す平面図である。
【図３】ダウンザホールドリルにおけるフィードロープの張設の状態を示す側面図である。
【図４】従来のフィードロープの固定部の構成を示す平面図である。
【符号の説明】
１　　　フィードロープの保持装置
２　　　ロータリーヘッド
３ｂ　　フィードロープ
３ｆ　　フィードロープ
４　　　マスト
５　　　滑車
６　　　滑車
７　　　滑車
８　　　滑車
９　　　固定部
１０　　滑車支持枠
１１　　フィードシリンダ
１２　　半円形シーブ
１３　　固定部材
１４　　ばね
【図１】
2004116207.tif 000003
【図２】
2004116207.tif 000004
【図３】
2004116207.tif 000005
【図４】
2004116207.tif 000006